(57)【要約】      （修正有）【課題】案内ベース板を広範囲に押圧できて当該案内ベース板及び切断案内板を確実に固定し、その固定された切断案内板に添って丸鋸を移動し正確に木材を切断できる丸鋸切断用定規を提供する。【解決手段】案内ベース板が、所定の奥行きＳをもって広範囲に押圧可能な広範囲案内ベース板５として形成され、広範囲案内ベース板５上を回動する分度板部３を上方から押圧自在な拘束板１３が、広範囲案内ベース板５に設置されている。広範囲案内ベース板５に支軸１８を介して回動自在な固定レバー１２の先端部１２Ａが前記拘束板１３を押圧自在であり、その固定レバー１２による拘束板１３の押圧状態で、位置決めされた前記分度板部３が固定自在である。【選択図】図１
2007190711.tif 000002
【特許請求の範囲】
【請求項１】
案内ベース板の端部に取り付けられた支軸を介して、角度目盛付き分度板部を有する切断案内板が、前記案内ベース板に対し所望角度に回動自在であると共に、位置決め固定自在な固定レバーを備えた丸鋸切断用定規であって、
前記案内ベース板は、所定の奥行きをもって広範囲に押圧可能な広範囲案内ベース板として形成され、前記広範囲案内ベース板上を回動する分度板部を上方から押圧自在な拘束板が、広範囲案内ベース板に設置されていると共に、同広範囲案内ベース板に支軸を介して回動自在な固定レバーの先端部が前記拘束板を押圧自在であり、その固定レバーによる拘束板の押圧状態で、位置決めされた前記分度板部の切断案内板が固定自在に構成されていることを特徴とする丸鋸切断用定規。
【請求項２】
拘束板は、分度板部の角度目盛の上を内外に架け渡され、その両端が支軸を介して広範囲案内ベース板に固定され、固定レバーは、その先端部が頂部と谷部を有する山形状に形成され、当該頂部が前記分度板部の外側の支軸に対して回動自在に取り付けられており、前記固定レバーの山形状先端部が拘束板の上面に位置するまで当該固定レバーが回転されるに従い、山形状先端部の谷部が拘束板上を摺動しつつ同拘束板が下方に押圧されて、直下の分度板部が不動状態で拘束される構成であることを特徴とする、請求項１に記載した丸鋸切断用定規。
【請求項３】
広範囲案内ベース板の表面や裏面に、ゴム製等の辷り止め体が設けられていることを特徴とする、請求項１又は請求項２に記載した丸鋸切断用定規。
【請求項４】
広範囲案内ベース板の一部が切り込まれて下方に折曲され、下方係止壁部に形成されて成ることを特徴とする、請求項１又は請求項２又は請求項３に記載した丸鋸切断用定規。
【請求項５】
広範囲案内ベース板の一部が切り込まれて上方に折曲され、上方係止壁部に形成されて成り、当該広範囲案内ベース板が反転自在に構成されていることを特徴とする、請求項１又は請求項２又は請求項３又は請求項４に記載した丸鋸切断用定規。
【請求項６】
広範囲案内ベース板の一部切り込み折曲により、下方係止壁部や上方係止壁部の形成と共に窓部が形成されて成ることを特徴とする、請求項４又は請求項５に記載した丸鋸切断用定規。
【発明の詳細な説明】
【技術分野】
【０００１】
本発明は、電動丸鋸を案内して同丸鋸により木材を正確に切断する丸鋸切断用定規の技術分野に関する。
【背景技術】
【０００２】
丸鋸による木材の切断に際しては、案内ベース板と切断案内板を備えた丸鋸切断用定規が広く使用されている。
【０００３】
その丸鋸切断用定規の使用方法は、案内ベース板を木材の基端に固定させ、同案内ベース板に対し支軸を介して回動自在な切断案内板を所望の角度に回動させて仮止めした後、当該切断案内板に添って丸鋸を移動させて木材を切断するものである。かかる構成の定規は、例えば、特開平９−１６９００２号特許公開公報（特に図１参照）に開示されている。
【特許文献１】特開平９−１６９００２号特許公開公報
【発明の開示】
【発明が解決しようとする課題】
【０００４】
特開平９−１６９００２号特許公開公報に記載された丸鋸案内定規の案内ベース板たるコーナー固定用添板は、奥行きのない角材で形成されている。そのため、作業者が当該固定用添板を手で押さえて固定しようとする場合、押圧力が十分に固定用添板に伝わらず、当該固定用添板にガタがきて連接された切断案内板（丸鋸案内板）を確実に固定できない恐れがある。そうすると、所望角度に仮止めした切断案内板たる丸鋸案内板の角度がズレてしまい、その結果、当該丸鋸案内板に添って移動する丸鋸により正確に切断できないという不都合が生じている。
【０００５】
また、丸鋸案内板の仮止めは、蝶ナットで行っているため、その蝶ナットを手指を回して固定させる固定作業や、仮止め固定を解除する際にも同様に手指を回して行う作業が面倒で煩わしい。
【０００６】
したがって、本発明の目的は、丸鋸による木材の切断に際し、案内ベース板を広範囲に押圧できる上、切断案内板の所望角度での位置決め固定を簡単かつ確実に行え、その確実に固定された切断案内板に添って丸鋸を移動し、木材を所望角度で正確に切断できる施工性や経済性に優れた丸鋸切断用定規を提供することにある。
【課題を解決するための手段】
【０００７】
上記課題を解決する手段として、請求項１記載の発明の丸鋸切断用定規は、 
案内ベース板の端部に取り付けられた支軸４を介して、角度目盛２付き分度板部３を有する切断案内板１が、前記案内ベース板に対し所望角度に回動自在であると共に、位置決め固定自在な固定レバー１２を備えた丸鋸切断用定規であって、前記案内ベース板は、所定の奥行きＳをもって広範囲に押圧可能な広範囲案内ベース板５として形成され、前記広範囲案内ベース板５上を回動する分度板部３を上方から押圧自在な拘束板１３が、広範囲案内ベース板５に設置されていると共に、同広範囲案内ベース板５に支軸１８を介して回動自在な固定レバー１２の先端部１２Ａが前記拘束板１３を押圧自在であり、その固定レバー１２による拘束板１３の押圧状態で、位置決めされた前記分度板部３の切断案内板１が固定自在に構成されていることを特徴とする。
【０００８】
請求項２記載の発明の丸鋸切断用定規は、前記拘束板１３が、分度板部３の角度目盛２の上を内外に架け渡され、その両端が支軸１７、１８を介して広範囲案内ベース板５に固定され、固定レバー１２は、その先端部１２Ａが頂部１２ｂと谷部１２ａ、１２ｃを有する山形状に形成され、当該頂部１２ｂが前記分度板部３の外側の支軸１８に対して回動自在に取り付けられており、前記固定レバー１２の山形状先端部１２Ａが拘束板１３の上面１３ｃに位置するまで当該固定レバー１２が回転されるに従い、山形状先端部１２Ａの谷部１２ａ、１２ｃが拘束板１３の上面１３ｃを摺動しつつ同拘束板１３が下方に押圧されて、直下の分度板部３が不動状態で拘束される構成であることを特徴とする。
【０００９】
請求項３記載の発明の丸鋸切断用定規は、前記広範囲案内ベース板５の表面５Ａや裏面５Ｂに、ゴム製等の辷り止め体６が設けられていることを特徴とする。
【００１０】
請求項４記載の発明の丸鋸切断用定規は、前記広範囲案内ベース板５の一部が切り込まれて下方に折曲され、下方係止壁部７に形成されて成ることを特徴とする。
【００１１】
請求項５記載の発明の丸鋸切断用定規は、前記広範囲案内ベース板５の一部が切り込まれて上方に折曲され、上方係止壁部８に形成されて成り、当該広範囲案内ベース板５が反転自在に構成されていることを特徴とする。
【００１２】
請求項６記載の発明の丸鋸切断用定規は、前記広範囲案内ベース板５の一部切り込み折曲により、下方係止壁部７や上方係止壁部８の形成と共に窓部９・・・が形成されて成ることを特徴とする。
【発明の効果】
【００１３】
請求項１記載の丸鋸切断用定規は、案内ベース板が、所定の奥行きをもって広範囲に押圧可能な広範囲案内ベース板として形成されているので、その広範囲案内ベース板の表面のいずれかの箇所を簡単かつ確実に押圧して固定しつつ、位置決めされた切断案内板に添って丸鋸を移動し、木材を所望角度で正確に切断できる施工性に優れている。しかも、従来の案内ベース板を、所定の奥行きをもって広範囲に形成するだけで広範囲案内ベース板を製作できるので量産し易く経済性にも優れている。
【００１４】
また、広範囲案内ベース板上を回動する分度板部を上方から押圧自在な拘束板が、広範囲案内ベース板に設置されていると共に、同広範囲案内ベース板に支軸を介して回動自在な固定レバーの先端部が前記拘束板を押圧自在であるので、固定レバーによる拘束板の押圧状態で、位置決めされた分度板部の切断案内板を簡単かつ確実に固定できる利便性にも優れ、作業効率がよい。
【００１５】
この点、請求項２記載の丸鋸切断用定規によれば、前記拘束板が、分度板部の角度目盛の上を内外に架け渡され、その両端が支軸を介して広範囲案内ベース板に固定され、固定レバーは、その先端部が頂部と谷部を有する山形状に形成され、当該頂部が前記分度板部の外側の支軸に対して回動自在に取り付けられており、前記固定レバーの山形状先端部が拘束板の上面に位置するまで当該固定レバーを回転するだけで、山形状先端部の谷部が拘束板上を摺動しつつ同拘束板が下方に押圧され、直下の分度板部が不動状態で拘束されるより一層作業効率が向上される。
【００１６】
請求項３記載の丸鋸切断用定規は、広範囲案内ベース板の表面や裏面に、ゴム製等の辷り止め体が設けられているので、まず裏面の辷り止め体が、木材の端部に配置された当該広範囲案内ベース板を固定する。そして、作業者がこの広範囲案内ベース板の表面の辷り止め体を上から押さえたときに、ズレることはない。しかも、その上からの押圧力により押圧された裏面の辷り止め体が木材との摩擦力を高めて一層広範囲案内ベース板の固定が増大し、丸鋸による正確な切断が達成される。
【００１７】
請求項４記載の丸鋸切断用定規によれば、広範囲案内ベース板の一部が切り込まれて下方に折曲することにより、簡単に下方係止壁部を形成できる施工性に優れ量産できる。
【００１８】
請求項５記載の丸鋸切断用定規によれば、広範囲案内ベース板の一部が切り込まれて前記とは逆に上方に折曲することにより、簡単に上方係止壁部を形成できる。しかも、広範囲案内ベース板を反転してこの上方係止壁部を板材の端部に係止できる利便性がある。
【００１９】
請求項６記載の丸鋸切断用定規は、前記のように広範囲案内ベース板の一部切り込み折曲により、下方係止壁部や上方係止壁部が形成されると同時に窓部が形成されて成るので、この窓部を覗き込んで、広範囲案内ベース板の板材端部への係止状態を目視しながら固定できる作業性にも優れている。
【発明を実施するための最良の形態】
【００２０】
本実施形態の丸鋸切断用定規は、例えば、家屋を形成する木材を電動丸鋸によって所定角度に切断する際に使用されるものである（図８参照）。以下、本発明の好適な実施形態を、図面に基づいて説明する。但し、本実施形態に限定されるものではない。
【００２１】
図１〜図６は、この丸鋸切断用定規の構成を示している。
【００２２】
本実施形態の丸鋸切断用定規は、基本的には図１に示したように、全長約２６０ｍｍのステンレス製の広範囲案内ベース板５の右端部に取り付けられた支軸４を介して、全長約３７５ｍｍのステンレス製の切断案内板１の基端部が回動自在に接続され、この切断案内板１が前記広範囲案内ベース板５に対し、所望角度に回動できるように構成されている。
【００２３】
切断案内板１の基端部には、角度目盛２が付いた分度板部３が取り付けられており、前記分度板部３の上面に、覗き窓部１６ａを有するステンレス製の固定板１６が被覆され、広範囲案内ベース板５に対し支軸４、１５、１５を介して固定されている。よって、前記の覗き窓部１６ａに表示される角度目盛２を目視しながら、切断したい所望の角度に切断案内板１を回動し、位置決めしたら後述の固定レバー１２によって固定する。なお、図中符号１０は試し切り用の角材、符号１１はその角材の止めネジを示している。
【００２４】
図２と図３は、固定レバー１２による分度板部３（切断案内板１）の固定要領を示している。
【００２５】
まず、前記広範囲案内ベース板５上を回動する分度板部３を上方から押圧自在な拘束板１３が、広範囲案内ベース板５に設置されている。すなわち、ステンレス製で縦５３ｍｍ、横７ｍｍぐらいの細長い拘束板１３が、分度板部３の角度目盛２の上を内外（図２中の左右方向）に架け渡され、その両端に穿設された通孔１３ａ、１３ｂに支軸１７、１８が挿通されて広範囲案内ベース板５に固定されている。当該分度板部３の角度目盛２は、広範囲案内ベース板５の右端に形成された下方係止壁部７と窓部９（後述）の上を通過するので、拘束板１３は、広範囲案内ベース板５において、前記右端の下方係止壁部７（窓部９）の手前のスペース上に設置されている。
【００２６】
前記拘束板１３の左側の支軸１８、つまり前記分度板部３の外側の支軸１８に対して、固定レバー１２が回動自在に取り付けられている。固定レバー１２は、ステンレス製板材の略中央で水平方向に折曲されて成る全体形状がくの字状に形成され、手前に折曲した部分が把手部１２ｄとされ、先端部１２Ａは、頂部１２ｂと谷部１２ａ、１２ｃを有する緩やかな傾斜状の山形状に形成されている。そして、前記頂部１２ｂ付近に穿設された通孔１２ｆに前記支軸１８が挿通され、もって固定レバー１２が回動自在となっている。
【００２７】
したがって、切断案内板１、つまり分度板部３を所望角度で固定するには、前記固定レバー１２の山形状先端部１２Ａの先端谷部１２ａが、拘束板１３の上面１３ｃに位置するまで当該固定レバー１２を回転する（図２の点線位置から実線位置へ動く固定レバー１２を参照）。すると、その回転に従い、前記先端谷部１２ａが拘束板１３の上面１３ｃを摺動しつつ同拘束板１３が下方に押圧される（図３）。と同時に、山形状先端部１２Ａの後方の谷部１２ｃが、拘束板１３の左側外端も摺動して更に下方に押圧し、直下の分度板部３つまり切断案内板１が不動状態で拘束（ロック）される。なお、前記山形状先端部１２Ａが拘束板１３の上面１３ｃに位置するとき、固定レバー１２の中央折曲部分１２ｅが後述の上方係止壁部８に当接する構成となっているので、この中央折曲部分１２ｅが当接するまで固定レバー１２を回転すればよく、簡単かつ素早く操作することができる。
【００２８】
逆に、上述した分度板部３（切断案内板１）の拘束（固定）状態を解除するには、固定レバー１２の把手部１２ｄを手前方向に動かすだけで簡単に行える。
【００２９】
上記の広範囲案内ベース板５は、上方から広範囲に押圧するに十分なように、約５０ｍｍの奥行きＳをもって形成されている。その基端縁５Ｃは若干下方に折曲され、内方に前記角材１０が付設されている（図４、図５参照）。
【００３０】
この広範囲案内ベース板５の前記角材１０の厚さ分離れた基端位置で、下方係止壁部７及び上方係止壁部８が形成されている。すなわち、広範囲案内ベース板５の左端部分が、かぎ形状に切り込まれて上方に９０°折曲されることにより、その折曲された部分が上方係止壁部８（幅寸約１０ｍｍ、高さ約１５ｍｍ）に形成されている。
【００３１】
前記左端に形成された上方係止壁部８につづいて、下方係止壁部７及び窓部９が形成されている。具体的には、底辺を除く台形状に切り込まれて下方に９０°折曲されることにより、その折曲された部分が下方係止壁部７（幅寸約９０ｍｍ、深さ約１０ｍｍ）に形成され、併せて、当該折曲によって当該下方係止壁部７に相当する空洞化された箇所は、中空な窓部９に形成されている。この下方係止壁部７につづいて同様に、底辺を除く台形状に切り込まれて上方に９０°折曲されて成る上方係止壁部８（幅寸約４０ｍｍ、高さ約１５ｍｍ）と窓部９が形成され、更につづいて前記同様の下方係止壁部７（幅寸約５５ｍｍ、深さ約１０ｍｍ）と窓部９が形成されている。
【００３２】
すなわち、広範囲案内ベース板５の基端片５Ｃ寄り位置に、上方係止壁部８と下方係止壁部７が交互に形成されていると共に、窓部９・・・が形成されている。なお、図１０に示したように、図１における広範囲案内ベース板５の左端部分を延設させて、前記かぎ形状の上方係止壁部８ではなく、底辺を除く台形状に切り込まれて上方に９０°折曲されて成る上方係止壁部８と窓部９を形成する形態も好適に実施される。
【００３３】
上述した広範囲案内ベース板５の上下の係止壁部７、８（窓部９）を除く表面５Ａと裏面５Ｂに、ゴム製の辷り止め体６が設けられている。但し、辷り止め体６はゴム製に限定されるものではない。辷り止め体６の大きさ・形状も特に限定されない。例えば、図１に例示したように、表面５Ａの辷り止め体６は、下方係止壁部７の窓部９の近傍位置のスペースに設置できる長方形となし、裏面５Ｂの辷り止め体６は、窓部９・・・を除くスペースの全体に、１枚又は複数枚の細長形状に形成されて設ける形態で好適に実施される。
【００３４】
次に、上述した丸鋸切断用定規の使用例について、図７〜図９を参照しつつ説明する。
【００３５】
図７は、木材２０を所定箇所で９０°に切断する場合の使用例を示している。木材２０の基端部２０Ａに広範囲案内ベース板５の下方係止壁部７、７を当接させ、当該広範囲案内ベース板５を配設する。一方、切断案内板１が９０°の位置にあることを角度目盛２で確認すると共に、固定レバー１２による固定状態を最終確認する。しかる後、広範囲案内ベース板５（辷り止め体６）を上方から押さえて固定しつつ、丸鋸Ｍを切断案内板１の側面に添って移動させれば、木材２０を正確に切断することができる。
【００３６】
図８は、木材２０を６０°の角度で切断する場合の使用例を示している。手順は、前記図５における９０°の角度で切断する場合と同様である。
【００３７】
図９は、家屋の外壁を施工する際、同図々示例のように、柱材２２との間に当該丸鋸切断用定規を配置して屋根材２１の勾配を計測する例を示している。なお、図９の反対側（図示を省略した右側部分）において実施する場合は、広範囲案内ベース板５は表裏で利用可能な上下の係止壁部７、８が形成されているため、当該丸鋸切断用定規を反転してそのまま使用することができる。
【図面の簡単な説明】
【００３８】
【図１】本発明の丸鋸切断用定規を示した全体図である。
【００３９】
【図２】固定レバーによる分度板部の拘束状態及び解除要領を示した拡大部分図である。
【００４０】
【図３】図２を水平方向から示した拡大部分図である。
【００４１】
【図４】丸鋸切断用定規を水平方向から示した正面図である。
【００４２】
【図５】図４のＡ−Ａ矢視断面の拡大図である。
【００４３】
【図６】広範囲案内ベース板の部分斜視図である。
【００４４】
【図７】切断案内板の９０°設定における丸鋸切断用定規の使用例を示した説明図である。
【００４５】
【図８】切断案内板の６０°設定における丸鋸切断用定規の使用例を示した説明図である。
【００４６】
【図９】丸鋸切断用定規の異なる使用例を示した説明図である。
【００４７】
【図１０】異なる丸鋸切断用定規を示した全体図である。
【符号の説明】
【００４８】
１        切断案内板
２        角度目盛
３        分度板部
４        支軸
５        広範囲案内ベース板
５Ａ      表面
５Ｂ      裏面
６        辷り止め体
７        下方係止壁部
８        上方係止壁部
９        窓部
１２      固定レバー
１２Ａ    山形状先端部
１２ａ    谷部
１２ｂ    頂部
１２ｃ    谷部
１３      拘束板
１３ｃ    上面
１７      支軸
１８      支軸
Ｓ        奥行き
Ｍ        丸鋸
【図１】
2007190711.tif 000003
【図２】
2007190711.tif 000004
【図３】
2007190711.tif 000005
【図４】
2007190711.tif 000006
【図５】
2007190711.tif 000007
【図６】
2007190711.tif 000008
【図７】
2007190711.tif 000009
【図８】
2007190711.tif 000010
【図９】
2007190711.tif 000011
【図１０】
2007190711.tif 000012